(57)【要約】【課題】施工性を向上できる水栓装置の機能ボックスを提供すること。【解決手段】水栓装置２の機能ボックス７は、水栓装置２の機能部品が収容される機能ボックス本体７１と、機能ボックス本体７１に接続され配管１７に固定されるボックス固定部７２と、を備える。また、ボックス固定部７２は、配管１７に着脱可能に固定されていてもよい。また、ボックス固定部７２は、一方側円弧部７３２と、一方側円弧部７３２に対して開閉可能に一方側円弧部７３２に接続される他方側円弧部７５２と、一方側円弧部７３２と他方側円弧部７５２との閉状態において一方側円弧部７３２と他方側円弧部７５２とで配管１７を挟み込んで固定する固定部材７７と、を有してもよい。【選択図】図３
2019173487.tif 000002
【特許請求の範囲】
【請求項１】
水栓装置の機能部品が収容される機能ボックス本体と、
前記機能ボックス本体に接続され配管に固定されるボックス固定部と、を備える水栓装置の機能ボックス。
【請求項２】
前記ボックス固定部は、前記配管に着脱可能に固定される請求項１に記載の水栓装置の機能ボックス。
【請求項３】
前記ボックス固定部は、
一方側円弧部と、
前記一方側円弧部に対して開閉可能に前記一方側円弧部に接続される他方側円弧部と、
前記一方側円弧部と前記他方側円弧部との閉状態において前記一方側円弧部と前記他方側円弧部とで前記配管を挟み込んで固定する固定部材と、を有する請求項１又は２に記載の水栓装置の機能ボックス。
【請求項４】
前記一方側円弧部の内周面及び前記他方側円弧部の内周面のいずれか一方又は両方に取り付けられる弾性変形可能なスペーサ部材を更に備える請求項３に記載の水栓装置の機能ボックス。
【請求項５】
前記機能ボックス本体は、前記配管と離隔した位置に配置されるように前記ボックス固定部に固定される請求項１〜４のいずれかに記載の水栓装置の機能ボックス。
【発明の詳細な説明】
【技術分野】
【０００１】
本発明は、水栓装置の機能ボックスに関する。
【背景技術】
【０００２】
従来、水栓本体と、機能部品が収容された機能ボックスと、を備える水栓装置が知られている。機能ボックスを水栓本体とは離れた場所において固定して設置する場合がある。機能ボックスを固定する構造としては、例えば、止水栓に固定する構造（例えば、特許文献１参照）や、壁に固定する構造などがある。
【０００３】
特許文献１に記載の技術においては、機能部品が電磁弁で構成されており、電磁弁は、流路構成部材を介して、止水栓に固定される。また、機能ボックスを壁に固定する場合に、アンカープラグなどを用いて壁に固定される。
【先行技術文献】
【特許文献】
【０００４】
【特許文献１】特許第５０４６３０３号公報
【発明の概要】
【発明が解決しようとする課題】
【０００５】
しかし、機能ボックスを止水栓に固定する構造や、機能ボックスを壁に固定する構造などの場合には、機能ボックスを固定する際の作業性について改善の余地がある。よって、水栓装置の機能ボックスの施工性を向上させることが求められている。
【０００６】
本発明は、施工性を向上できる水栓装置の機能ボックスを提供することを目的とする。
【課題を解決するための手段】
【０００７】
本発明は、水栓装置（例えば、後述の自動水栓２）の機能部品が収容される機能ボックス本体（例えば、後述のボックス本体７１）と、前記機能ボックス本体に接続され配管（例えば、後述の給水管１７）に固定されるボックス固定部（例えば、後述のボックス固定部７２）と、を備える水栓装置の機能ボックス（例えば、後述の電池ボックス７）に関する。
【０００８】
また、前記ボックス固定部は、前記配管に着脱可能に固定されることが好ましい。
【０００９】
また、前記ボックス固定部は、一方側円弧部（例えば、後述の第１円弧部７３２）と、前記一方側円弧部に対して開閉可能に前記一方側円弧部に接続される他方側円弧部（例えば、後述の第２円弧部７５２）と、前記一方側円弧部と前記他方側円弧部との閉状態において前記一方側円弧部と前記他方側円弧部とで前記配管を挟み込んで固定する固定部材（例えば、後述の固定部材７７）と、を有することが好ましい。
【００１０】
また、前記一方側円弧部の内周面及び前記他方側円弧部の内周面のいずれか一方又は両方に取り付けられる弾性変形可能なスペーサ部材（例えば、後述の第１スペーサ部材７４、第２スペーサ部材７６）を更に備えることが好ましい。
【００１１】
前記機能ボックス本体は、前記配管と離隔した位置に配置されるように前記ボックス固定部に固定されることが好ましい。
【発明の効果】
【００１２】
本発明によれば、施工性を向上できる水栓装置の機能ボックスを提供することができる。
【図面の簡単な説明】
【００１３】
【図１】本発明の一実施形態に係る自動水栓が設けられた洗面台装置を示す斜視図である。
【図２】一実施形態の電池ボックスを示す斜視図である。
【図３】一実施形態の電池ボックスのボックス固定部を示す図である。
【発明を実施するための形態】
【００１４】
以下、本発明の一実施形態について、図面を参照しながら詳細に説明する。
図１は、本発明の一実施形態に係る自動水栓２が設けられた洗面台装置１を示す斜視図である。
【００１５】
図１に示すように、本実施形態に係る自動水栓２は、洗面台装置１に設けられる。洗面台装置１は、洗面器１１と、本発明に係る自動水栓２（水栓装置）と、洗浄液吐出装置１３と、排水管１５と、止水栓装置１６と、を有する。本発明に係る自動水栓２は、水栓本体３と、電池ボックス７（機能ボックス）と、給水用ホース１４と、を有する。
【００１６】
洗面器１１は、凹状に形成されるボウル部１１１と、洗面器１１の奥側の上部に配置される上面板１１２と、を有する。ボウル部１１１は、自動水栓２から吐出された水を受ける。
【００１７】
排水管１５は、ボウル部１１１の下部に接続され、上下方向に延びる。排水管１５は、ボウル部１１１から排出された水を、洗面台装置１の外部に導出する。
【００１８】
水栓本体３は、洗面器１１の上面板１１２に取り付けられる。洗面器１１の上面板１１２は、水栓本体３が配置される被取付部である。水栓本体３は、吐水部３２と、複数の流路を構成する流路構成部（図示せず）と、流路構成部の流路の途中に配置された電磁弁（図示せず）と、を有する。水栓本体３においては、センサ部３５が物体を検知することにより、吐水部３２からは、水が吐出される。
【００１９】
給水用ホース１４は、水栓本体３の下端部に装着され、水栓本体３の下端部から下方に延びる。給水用ホース１４は、給水管１７により供給される水を、止水栓装置１６を介して、水栓本体３に供給する。
【００２０】
電池ボックス７は、洗面器１１の上面板１１２の上面よりも下方であって、洗面器１１の下方に配置される。電池ボックス７は、センサ部３５の電源や電磁弁（図示せず）の電源となる電源回路（機能部品）を構成する。電池ボックス７は、洗面所の壁（図示せず）と止水栓装置１６とを連結する給水管１７（配管）に取り付けられている。電池ボックス７には、ハーネス３０２が接続されている。ハーネス３０２は、水栓本体３の内部に配置される電磁弁（図示せず）と電池ボックス７とを接続する。
【００２１】
電池ボックス７について説明する。図２は、一実施形態の電池ボックス７を示す斜視図である。図３は、一実施形態の電池ボックス７のボックス固定部７２を示す図である。なお、本実施形態において、図１において自動水栓２に対面した場合の前後方向を前後方向ともいい、左右方向を左右方向ともいう。
【００２２】
電池ボックス７は、図２及び図３に示すように、ボックス本体７１（機能ボックス本体）と、ボックス固定部７２と、を備える。
【００２３】
ボックス本体７１は、上下方向に延びる箱状に形成される。ボックス本体７１には、自動水栓２の機能部品として、センサ部３５の電源や電磁弁（図示せず）の電源となる電源回路（機能部品）が収容される。電源回路は、電池や電解コンデンサなどにより構成される。ボックス本体７１は、給水管１７と離隔した位置に配置されるように、ボックス固定部７２に固定される。
【００２４】
ボックス固定部７２は、図２に示すように、ボックス本体７１の上端部に接続され、給水管１７（配管）に着脱可能に固定される。なお、本実施形態では、ボックス固定部７２を給水管１７に固定する構成としたが、これに限定されず、例えば、排水管に固定する構成としてもよい。
【００２５】
ボックス固定部７２は、図２及び図３に示すように、第１円弧状腕部７３と、第１スペーサ部材７４と、第２円弧状腕部７５と、第２スペーサ部材７６と、固定部材７７と、を有する。
【００２６】
第１円弧状腕部７３及び第２円弧状腕部７５は、上端部において回動可能に接続された状態で、ボックス本体７１の上部において、図１及び図３における左右方向に並んで配置される。図３において、第１円弧状腕部７３は右側に配置され、第２円弧状腕部７５は左側に配置される。第１円弧状腕部７３及び第２円弧状腕部７５は、左右方向に互いに対向して配置される。
【００２７】
第１円弧状腕部７３は、第１直線状部７３１と、半円弧状に形成される第１円弧部７３２（一方側円弧部）と、を有する。第１直線状部７３１及び第１円弧部７３２は、前後方向に厚みを有して形成される。
【００２８】
第１直線状部７３１は、ボックス本体７１の上面から上方側に所定長さ延びる。第１直線状部７３１の下端部は、ボックス本体７１の上面に固定される。
第１円弧部７３２は、第１直線状部７３１の上端部に接続され、第２円弧状腕部７５と反対側（図３における右側）が凸となる略半円弧状に形成される。
【００２９】
第１スペーサ部材７４は、第１円弧部７３２の内周面に沿った略半円弧状に形成され、第１円弧部７３２の内周面に取り付けられる。第１スペーサ部材７４は、弾性変形可能な材料で形成される。本実施形態においては、第１スペーサ部材７４は、例えば、ゴム材料により形成される。第１スペーサ部材７４は、弾性変形することで、給水管１７の径が異なる場合に対応して、給水管１７を挟み込むことが可能である。
【００３０】
第１スペーサ部材７４の外面には、略半円弧状の外側に突出する突起７４１が形成される。第１スペーサ部材７４は、突起７４１が第１円弧部７３２に嵌め込こまれることで、第１円弧部７３２に接続される。
【００３１】
第２円弧状腕部７５は、第２直線状部７５１と、半円弧状に形成される第２円弧部７５２（他方側円弧部）と、を有する。第２直線状部７５１及び第２円弧部７５２は、前後方向に厚みを有して形成される。
【００３２】
第２直線状部７５１は、ボックス本体７１の上面から上方側に所定長さ延びる。第２直線状部７５１の下端部は、ボックス本体７１の上面に固定されずに配置される。
第２円弧部７５２は、第２直線状部７５１の上端部に接続され、第１円弧状腕部７３と反対側（図３における左側）が凸となる略半円弧状に形成される。
【００３３】
第２スペーサ部材７６は、第２円弧部７５２の内周面に沿った略半円弧状に形成され、第２円弧部７５２の内周面に取り付けられる。第２スペーサ部材７６は、弾性変形可能な材料で形成される。本実施形態においては、第２スペーサ部材７６は、例えば、ゴム材料により形成される。第２スペーサ部材７６は、弾性変形することで、給水管１７の径が異なる場合に対応可能である。
【００３４】
第２スペーサ部材７６の外面には、略半円弧状の外側に突出する突起７６１が形成される。第２スペーサ部材７６は、突起７６１が第２円弧部７５２に嵌め込こまれることで、第２円弧部７５２に接続される。
【００３５】
第２円弧状腕部７５は、第１円弧状腕部７３に対して開閉可能に接続される。第２円弧状腕部７５の第２円弧部７５２の上端部には、回動軸Ｊを中心に回動可能に、第１円弧状腕部７３の第１円弧部７３２の上端部が接続される。これにより、第２円弧部７５２は、回動軸Ｊを中心に回動可能であって、第１円弧部７３２に対して開閉可能に接続される。
よって、第２円弧状腕部７５は、回動軸Ｊを中心に回動することで、図３において、閉状態（実線部分）と開状態（二点鎖線部分）との間を移動することで、第１円弧状腕部７３に対して開閉可能である。
【００３６】
第１円弧部７３２と第２円弧部７５２と閉状態において、第２円弧部７５２の内側の凹面は、第１円弧部７３２の内側の凹面に対向して配置される。第２円弧部７５２の内側の凹面と第１円弧部７３２の内側の凹面との間には、給水管１７を配置することができる。
【００３７】
固定部材７７は、第１円弧部７３２と第２円弧部７５２との閉状態において、第１円弧部７３２と第２円弧部７５２とで給水管１７を挟み込んで固定する。固定部材７７は、ボルト７７１と、ナット７７２とにより構成される。
【００３８】
固定部材７７においては、第１円弧状腕部７３の第１円弧部７３２と第２円弧状腕部７５の第２円弧部７５２との閉状態において、第１円弧状腕部７３の第１円弧部７３２と第２円弧状腕部７５の第２円弧部７５２とで給水管１７を挟み込んで、第１直線状部７３１及び第２直線状部７５１が対向した状態において、１直線状部７３１及び第２直線状部７５１に対して左右方向にボルト７７１を貫通させてナット７７２で締め付けて固定する。これにより、固定部材７７により、第１円弧状腕部７３の第１円弧部７３２と第２円弧状腕部７５の第２円弧部７５２とを固定することができる。
【００３９】
以上説明した本実施形態に係る電池ボックス７によれば、以下のような効果が奏される。
本実施形態の電池ボックス７は、自動水栓２の電源回路が収容されるボックス本体７１と、ボックス本体７１に接続され給水管１７に固定されるボックス固定部７２と、を備える。そのため、自動水栓２に水を供給する給水管１７に、ボックス固定部７２を固定することで、電池ボックス７を壁などに固定する場合に比べて、電池ボックス７を施工する際の施工性を向上できる。
【００４０】
また、本実施形態においては、ボックス固定部７２は、給水管１７に着脱可能に固定されている。そのため、給水管１７に固定したボックス固定部７２を取り外すとで、ボックス本体７１の内部に収容された電池の交換などの電源回路のメンテナンスを容易に行うことができる。
【００４１】
また、本実施形態においては、ボックス固定部７２は、第１円弧部７３２と、第１円弧部７３２に対して開閉可能に第１円弧部７３２に接続される第２円弧部７５２と、第１円弧部７３２と他方側円弧部７５２との閉状態において第１円弧部７３２と第２円弧部７５２とで給水管１７を挟み込んで固定する固定部材７７と、を有する。これにより、第１円弧部７３２と第２円弧部７５２とで給水管１７を挟み込むことで、ボックス固定部７２を給水管１７に容易に固定できる。
【００４２】
また、本実施形態においては、第１円弧部７３２の内周面に取り付けられる弾性変形可能な第１スペーサ部材７４を有する。第２円弧部７５２の内周面に取り付けられる弾性変形可能な第２スペーサ部材７６を備える。これにより、給水管１７の径に応じて、第１スペーサ部材７４及び第２スペーサ部材７６のいずれか一方又は両方を弾性変形させることができるため、給水管１７の径の大きさに対応して、給水管１７を挟み込んで固定することができる。
【００４３】
また、本実施形態においては、ボックス本体７１は、給水管１７と離隔した位置に配置されるように、ボックス固定部７２に固定される。これにより、給水管１７に水が伝って流れても、ボックス本体７１に水が伝わりにくくすることができる。
【００４４】
なお、本発明は上記実施形態に限定されるものではなく、本発明の目的を達成できる範囲での変形、改良等は本発明に含まれる。
例えば、上記実施形態では、機能ボックスに収容される機能部品を電源回路とした例について説明したが、これに限定されない。例えば、機能ボックスに収容される機能部品を電磁弁としてもよい。
【００４５】
また、上記実施形態では、第２円弧状腕部７５を第１円弧状腕部７３に対して回動可能に構成したが、逆に、第１円弧状腕部７３を第２円弧状腕部７５に対して回動可能に構成してもよい。
【００４６】
また、上記実施形態では、給水管１７の下方側に電池ボックス７を配置したが、これに限定されない。例えば、給水管１７の上方側に電池ボックス７を配置してもよいし、給水管１７の側方に電池ボックス７を配置してもよい。
【符号の説明】
【００４７】
２  自動水栓（水栓装置）
７  電池ボックス（機能ボックス）
１７  給水管（配管）
７１  ボックス本体（機能ボックス本体）
７２  ボックス固定部
７４  第１スペーサ部材（スペーサ部材）
７６  第２スペーサ部材（スペーサ部材）
７７  固定部材
７３２  第１円弧部（一方側円弧部）
７５２  第２円弧部（他方側円弧部）
【図１】
2019173487.tif 000003
【図２】
2019173487.tif 000004
【図３】
2019173487.tif 000005